(57)【特許請求の範囲】
【請求項１】
工作機械を手動操作するための操作盤をコラム上部に設けたペンダントアームからチェーンを介して吊り下げるようにした工作機械のペンダント操作盤において、
操作盤本体とチェーンを連結する継手の内部に、工作機械から前記チェーンに沿って操作盤本体まで延びる電気配線の電線を鉛直上方に向けてＳ字形に一旦迂回させる迂回案内部を設け、前記迂回案内部の下方に電線を伝わってくる切削剤を受けて回収するための切削剤回収部を配置したことを特徴とする工作機械のペンダント操作盤。
【発明の詳細な説明】
【０００１】
【発明の属する技術分野】
本発明は、工作機械の動きに関する手動操作をＮＣ操作部から切り離して手動操作するための操作盤をコラムからチェーンなどで吊り下げた工作機械のペンダント操作盤に関する。
【０００２】
【従来の技術】
ＮＣ工作機械では、機械の動きを手動で操作する操作盤がＮＣ操作部とは別に設けられている。大型のＮＣ工作機械では、この種の操作盤は、コラムの上部に旋回するアームを水平に設け、このアームから操作盤をチェーンなどで吊っている。このような形式の操作盤は、ペンダント操作盤と呼ばれ、工作機械には必須の操作盤である。
【０００３】
ペンダント操作盤は、コラム上部のアームから吊り下げる形になっているため、操作盤の電気配線はコラムからアームに沿って引き伸ばして、チェーンに沿って垂らし操作盤本体に接続している。
【０００４】
【発明が解決しようとする課題】
しかしながら、電気配線は、一直線に操作盤本体の内部に入りるため、加工中に切削剤の飛沫がかかると、切削剤が電気配線を伝わって操作盤内部に浸入し、電気系統の故障の原因になっていた。
【０００５】
そこで、本発明の目的は、前記従来技術の有する問題点を解消し、配線を伝わり落ちてくる切削剤を操作盤本体に浸入する前に回収できるようにして、電気系統の故障の原因を取り除くようにした工作機械のペンダントを提供することにある。
【０００６】
【課題を解決するための手段】
前記の目的を達成するために、本発明は、工作機械を手動操作するための操作盤をコラム上部に設けたペンダントアームからチェーンを介して吊り下げるようにした工作機械のペンダント操作盤において、操作盤本体とチェーンを連結する継手の内部に、工作機械から前記チェーンに沿って操作盤本体まで延びる電気配線の電線を鉛直上方に向けてＳ字形に一旦迂回させる迂回案内部を設け、前記迂回案内部の下方に電線を伝わってくる切削剤を受けて回収するための切削剤回収部を配置したことを特徴とするものである。
【０００７】
本発明によれば、電気配線のケーブルを伝わった切削剤は、迂回案内部でＳ字形の迂回するケーブルのうち谷形に湾曲する部分まで伝わったところで、水切されてオイルパンに流れ落ちるので、操作盤本体内部に浸入する前に、オイルパンに回収される。
【０００８】
【発明の実施の形態】
以下、本発明による工作機械のペンダントの一実施形態について、添付の図面を参照しながら説明する。
【０００９】
図１は、本発明が適用される横フライス中ぐり盤を示す。図１において、参照符号１０はコラムを示し、１２はコラムの案内面に沿って上下に昇降する主軸頭である。主軸頭１２には、ラム１４が水平方向に移動可能に設けられている。主軸１６はラム１４に組み込まれている。１３は自動工具交換装置、１５は工具マガジンである。
【００１０】
コラム１０の頂部には、ペンダントアーム１８が設置されている。このペンダントアーム１８は、旋回軸１９により支持され水平面上を旋回できる構造を有しているもので、コラム１２の各部と接続している各種電気配線２２は、チェーン２０といっしょに結束されてペンダントアーム１８に沿って延び、ペンダントアーム１８に沿って移動する移動台２１のプーリ２３から垂下される。ペンダント操作盤２４はチェーン２０の下端部に連結されている。
【００１１】
次に、図２は、ペンダント操作盤２４をチェーン２０の末端部に連結するための継手部２５の詳細を示す。
【００１２】
この図２において、継手部２５は、その主要素として、チェーン受２６と、継手本体２７と、フランジ継手２８とから構成されている。
【００１３】
チェーン受２６の上端部は、チェーン２０の末端と連結され、チェーン受２６の下端部は、電気配線２２のケーブルを通す穴を有している蓋部材２９に締結される。この蓋部材２９は、円筒状の継手本体２７の上端部に固定される。フランジ継手２８は、継手本体２７とペンダント操作盤２４のハウジング３０とを連結するための部材である。継手本体２７からフランジ継手２８まで内部は中空になっており、ハウジング３０の上面には、フランジ継手２８の内径に対応して円形の開口部３１が開いており、電気配線２２のケーブルは、開口部３１からハウジング３０の内部に引きこまれるようになっている。
【００１４】
次に、図３は、継手部２５の内部構造を示す縦断面図である。
【００１５】
図３において、参照符号３２ａ、３２ｂは電気配線２２のケーブルを案内する案内ローラであり、これらの下案内ローラ３２ａ、上案内ローラ３２ｂは、継手本体２７の内周面に直角に突き出るように取り付けられている。参照符号３４は切削剤を回収するためのオイルパンである。
【００１６】
この図３に示されるように、蓋部材２９から継手本体２７の内部に入った電気配線２２のケーブルは、下案内ローラ３２ａに巻き掛けられることで方向を鉛直上方に転じてから上案内ローラ３２ｂに掛けられ、さらに方向を下方に変えてＳ字形に一旦迂回するように案内され、その先はフランジ継手２８を介してペンダント操作盤２４のハウジング３０内部に導かれるようになっている。オイルパン３４は、電気配線２２のケーブルの曲がりがちょうど谷になっている下案内ローラ３２ａの下に取り付けられる。
【００１７】
本実施形態による工作機械のペンダントは以上のように構成されるものであり、次に、その作用について説明する。
【００１８】
図１に示されるように、ペンダント操作盤２４の配置は、コラム１０の側方にあって主軸頭１２からそれほど距離が離れていないため、加工中には切削剤の飛沫がペンダント操作盤２４を吊るチェーン２０にかかることがしばしばある。
【００１９】
切削剤の飛沫がチェーン２０や電気配線２２のケーブルにかかると、切削剤がチェーン２０および電気配線２２のケーブルを伝わって流れ落ちる。
【００２０】
チェーン２０は、ペンダント操作盤２４とは直接つながっていないので、チェーン２０を伝わり落ちる切削剤は継手本体２７内部に浸入せず問題がないが、電気配線２０のケーブルを伝わり落ちる切削剤は、ケーブルを伝わって継手本体２７の内部に浸入する。
【００２１】
本実施形態では、継手本体２７の内部にあっては、電気配線２０のケーブルを下案内ローラ３２ａと上案内ローラ３２ｂとでＳ字形に迂回するように案内しているため、ケーブルを伝わった切削剤は、図３に示すように、下案内ローラ３２ａに巻き掛けられてケーブルが谷形に湾曲する部分まで伝わったところで、水切されてオイルパン３４に流れ落ちてこのオイルパン３２に回収される。このようにして電気配線２２のケーブルを伝わり落ちる切削剤がペンダント操作盤２４に浸入することを確実に防止することが可能となり、切削剤に起因する漏電等の電気系統の故障を未然に防止できる。
【００２２】
【発明の効果】
以上の説明から明らかなように、本発明によれば、電気配線のケーブルを伝わり落ちる切削剤がペンダント操作盤に浸入することを確実に防止することが可能となり、切削剤に起因する電気系統の故障を未然に防止できる
【図面の簡単な説明】
【図１】本発明が適用されるペンダント操作盤を有する横フライス中ぐり盤の正面図。
【図２】本発明の一実施形態において、ペンダント操作盤を吊るチェーンと継手部の分解斜視図。
【図３】図２の継手部の内部の迂回案内部を示す断面図。
【符号の説明】
１０  コラム
１２  主軸頭
１４  ラム
１６  主軸
１８  ペンダントアーム
２０  チェーン
２２  電気配線のケーブル
２４  ペンダント操作盤
２５  継手部
２７  継手本体
２８  フランジ継手
３０  ハウジング
３２ａ  下案内ローラ
３２ｂ  上案内ローラ
３４  オイルパン
【図１】
0004094321.tif 000002
【図２】
0004094321.tif 000003
【図３】
0004094321.tif 000004